(57)【要約】【課題】カード型機器の種別に対応したアンテナを情報端末装置側に設けることにより、カード型機器にアンテナを不要とし、外観を損なうことなく、携帯性，操作性等を改善できる情報端末装置を提供する。【解決手段】情報端末装置１０は、カード型機器３０を着脱可能に挿着するためのカードスロット２１、ＧＰＳ信号を受信するためのアンテナ２２、地上デジタル放送信号を受信するためのアンテナ２３、カードスロット２１に挿着されたカード型機器３０の種別を検出するカード種別検出部２５、カードスロット２１に対してアンテナ２２あるいはアンテナ２３を切り替え可能に接続するアンテナ切替部２４を備える。アンテナ切替部２４は、カード種別検出部２５の検出結果に基づいて、カードスロット２１に挿着されたカード型機器３０の種別に対応したアンテナを選択し、選択したアンテナをカードスロット２１を介してカード型機器３０に接続する。【選択図】図１
2005252386.tif 000002
【特許請求の範囲】
【請求項１】
カード型機器を着脱可能に挿着するための入出力インタフェイスを備えた情報端末装置において、カード型機器の種別に対応する無線信号を受信するためのアンテナと、前記入出力インタフェイスに挿着されたカード型機器の種別を検出するカード種別検出部と、前記入出力インタフェイスに対して前記アンテナを切り替え可能に接続するアンテナ切替部とを備え、該アンテナ切替部は、前記カード種別検出部の検出結果に基づいて、前記入出力インタフェイスに挿着されたカード型機器の種別に対応したアンテナを選択し、該選択したアンテナを前記入出力インタフェイスを介して前記カード型機器に接続することを特徴とする情報端末装置。
【請求項２】
前記カード種別検出部は、前記入出力インタフェイスに挿着されたカード型機器の端子からの出力信号もしくは内部レジスタに格納されているデータに基づいて、前記カード型機器の種別を検出することを特徴とする請求項１に記載の情報端末装置。
【請求項３】
前記アンテナ切替部は、前記アンテナのオン／オフを切り替えるアンテナスイッチを備え、前記カード種別検出部の検出結果に基づいて、前記アンテナスイッチのオン／オフを制御することを特徴とする請求項１又は２に記載の情報端末装置。
【請求項４】
前記アンテナ切替部は、前記カード種別検出部により前記アンテナに対応しないカード型機器の種別が検出された場合、前記アンテナスイッチを全てオフに制御することを特徴とする請求項３に記載の情報端末装置。
【請求項５】
前記アンテナ切替部によりオンに制御されたアンテナと、前記カード型機器とが接続されたことを示す情報を通知するための通知手段を備えていることを特徴とする請求項３に記載の情報端末装置。
【請求項６】
前記アンテナは、内蔵アンテナであることを特徴とする請求項１乃至５のいずれか１項に記載の情報端末装置。
【請求項７】
前記アンテナは、外部アンテナであることを特徴とする請求項１乃至５のいずれか１項に記載の情報端末装置。
【発明の詳細な説明】
【技術分野】
【０００１】
本発明は、情報端末装置、より詳細には、各種機能を搭載したカード型機器を着脱可能に接続できるカードスロットを備えた携帯可能な情報端末装置に関するものである。
【背景技術】
【０００２】
近年の情報化の進歩に伴い、例えば、携帯電話，ＰＤＡ（Ｐｅｒｓｏｎａｌ  Ｄｉｇｉｔａｌ  Ａｓｓｉｓｔａｎｔ），ノート型パーソナルコンピュータ（以下、ノートパソコン）などの携帯情報端末の進化が著しい。これらの携帯情報端末は、様々な機能、例えば、デジタルカメラ，地上デジタルテレビ，地上デジタルラジオ，ＦＭ／ＡＭラジオ，無線ＬＡＮ，Ｂｌｕｅｔｏｏｔｈ，ＧＰＳ受信機などを搭載することができるようになっている。
【０００３】
さらに、外部のカード型機器（各種機能を備えたカード型機能モジュール）、例えば、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カード，ＣＦ（Ｃｏｍｐａｃｔ  Ｆｌａｓｈ）カード，ＳＤ（Ｓｅｃｕｒｅ  Ｄｉｇｉｔａｌ），ＳＤＩＯ（Ｓｅｃｕｒｅ  Ｄｉｇｉｔａｌ  Ｉ／Ｏ），ｍｉｎｉＳＤカード等のカード型機器も開発、市販されており、カードスロットを備えた携帯電話，ＰＤＡ，ノートパソコンなど携帯情報端末に着脱可能に挿着できるようになっている。
【０００４】
上記カード型機器は、例えば、交換性，携帯性，経済性など、数々の優位な特徴があり、ユーザは所望の機能を、カード型機器により手軽に実現することができるため、広く利用されている。例えば、携帯電話の場合、メモリカードで大容量なファイル，画像や動画の保存、無線ＬＡＮカードでＩＰ電話、Ｂｌｕｅｔｏｏｔｈカードで自動車内のハンズフリー通話、地上デジタルテレビカードでテレビ受信機などを実現することができる。
【０００５】
カード型機器に関する従来技術として、例えば、特許文献１及び特許文献２には、ＧＰＳ受信機能を備えたカード型機器の構造が開示されている。
【特許文献１】特開２０００−１６２３０１号公報
【特許文献２】特開２００２−３２８７４８号公報
【発明の開示】
【発明が解決しようとする課題】
【０００６】
しかしながら、従来のカード型機器、例えば、上記特許文献１及び２に記載されているＧＰＳ受信モジュールの場合、カードと一体化したアンテナを備えており、これによりＧＰＳ受信モジュールが大型化し、本来の携帯性が損なわれていた。さらには、例えば、携帯電話機のような携帯情報端末のカードスロットに上記ＧＰＳ受信モジュールを挿着した場合、そのＧＰＳ受信モジュールが備えるアンテナの影響により、携帯電話機の外観が損なわれたり，携帯性，操作性などに不都合を与えることがあった。
【０００７】
本発明は、上述のごとき実情に鑑みてなされたものであり、カード型機器の種別に対応したアンテナを情報端末装置側に設けることにより、カード型機器にアンテナを不要とし、外観を損なうことなく、携帯性，操作性等を改善できる情報端末装置を提供すること、を目的としてなされたものである。
【課題を解決するための手段】
【０００８】
上記課題を解決するために、第１の技術手段は、カード型機器を着脱可能に挿着するための入出力インタフェイスを備えた情報端末装置において、カード型機器の種別に対応する無線信号を受信するためのアンテナと、前記入出力インタフェイスに挿着されたカード型機器の種別を検出するカード種別検出部と、前記入出力インタフェイスに対して前記アンテナを切り替え可能に接続するアンテナ切替部とを備え、該アンテナ切替部は、前記カード種別検出部の検出結果に基づいて、前記入出力インタフェイスに挿着されたカード型機器の種別に対応したアンテナを選択し、該選択したアンテナを前記入出力インタフェイスを介して前記カード型機器に接続することを特徴としたものである。
【０００９】
第２の技術手段は、第１の技術手段において、前記カード種別検出部は、前記入出力インタフェイスに挿着されたカード型機器の端子からの出力信号もしくは内部レジスタに格納されているデータに基づいて、前記カード型機器の種別を検出することを特徴としたものである。
【００１０】
第３の技術手段は、第１又は第２の技術手段において、前記アンテナ切替部は、前記アンテナのオン／オフを切り替えるアンテナスイッチを備え、前記カード種別検出部の検出結果に基づいて、前記アンテナスイッチのオン／オフを制御することを特徴としたものである。
【００１１】
第４の技術手段は、第３の技術手段において、前記アンテナ切替部は、前記カード種別検出部により前記アンテナに対応しないカード型機器の種別が検出された場合、前記アンテナスイッチを全てオフに制御することを特徴としたものである。
【００１２】
第５の技術手段は、第３の技術手段において、前記アンテナ切替部によりオンに制御されたアンテナと、前記カード型機器とが接続されたことを示す情報を通知するための通知手段を備えていることを特徴としたものである。
【００１３】
第６の技術手段は、第１乃至第５のいずれか１の技術手段において、前記アンテナは、内蔵アンテナであることを特徴としたものである。
【００１４】
第７の技術手段は、第１乃至第５のいずれか１の技術手段において、前記アンテナは、外部アンテナであることを特徴としたものである。
【発明の効果】
【００１５】
カード型機器の種別に対応したアンテナを情報端末装置側に設けることにより、カード型機器にアンテナを不要とし、外観を損なうことなく、携帯性，操作性等を改善できる情報端末装置を提供することができる。
【発明を実施するための最良の形態】
【００１６】
（第１の実施形態）
図１は、本発明の第１の実施形態に係る情報端末装置を示すブロック図で、図中、１０は情報端末装置で、該情報端末装置（以下、携帯電話機）１０は、携帯電話用アンテナ１１、送信信号と受信信号を判別する送受共用器１２、無線信号を受信する受信機１３、無線信号を送信する送信機１４、送受信周波数を生成するシンセサイザ１５、携帯電話機１０のハードウェア制御，通信プロトコル制御，ユーザアプリケーション動作など各種プログラム処理を行うＣＰＵ部１６、通信及びユーザデータなど各種データを保存するメモリ部１７、ユーザ操作メニュー及び電話番号などを表示する表示部１８、発着呼操作及びユーザメニュー操作などを行う操作部１９、送受話器２０、各種機能を備えたカード型機器３０を着脱可能に挿着するカードスロット２１を備えている。
【００１７】
さらに、本実施形態の携帯電話機１０は、ＧＰＳ信号を受信するＧＰＳ用アンテナ２２、地上デジタルテレビ信号を受信する地上デジタルテレビ用アンテナ２３、これらのアンテナをカードスロット２１に接続するアンテナ切替部２４を備え、ＣＰＵ部１６にはカード種別検出部２５を備える。カード種別検出部２５は、カード型機器３０がカードスロット２１に挿着されたときに、そのカード種別を検出し、ＣＰＵ部１６に通知する。
【００１８】
ＣＰＵ部１６は、カード種別検出部２５で検出されたカード種別によりアンテナ切替部２４を制御し、カード型機器３０の種別に対応したアンテナを選択し、そのアンテナをカードスロット２１を介してカード型機器３０に接続する。アンテナ切替部２４は、アンテナスイッチ２４ａ（ＧＰＳ用アンテナ２２に対応），２４ｂ（地上デジタルテレビ用アンテナ２３に対応）を設け、ＣＰＵ部１６からの制御信号に従って、アンテナスイッチ２４ａ，２４ｂのいずれかをオン状態（この場合、一方がオフ状態）、あるいはアンテナスイッチ２４ａ，２４ｂの両方をオフ状態に制御する。
【００１９】
図１において、例えば、カード型機器３０がＧＰＳ機能を備えている場合、このＧＰＳ機能を備えたカード型機器３０（すなわち、ＧＰＳ機能モジュール）がカードスロット２１に挿着されたことをＣＰＵ部１６への割り込み信号により検出し、カード種別検出部２５のソフトウェアまたはハードウェアが起動され、カード型機器３０の種別を検出する。この場合、ＧＰＳ機能モジュールとして識別される。次に、カード種別検出部２５の検出結果に基づいて、ＣＰＵ部１６は、アンテナ切替部２４のアンテナスイッチ２４ａをオンに、アンテナスイッチ２４ｂをオフに制御し、その結果、ＧＰＳ用アンテナ２２は、カードスロット２１を介してカード型機器３０と接続される。
【００２０】
ここで、アンテナ切替部２４によりオンに制御されたアンテナ（上記例ではＧＰＳ用アンテナ２２）と、カード型機器３０とが接続されたことを示す情報を通知するようにしてもよい。具体的には、例えば、「接続完了」等のメッセージや、接続完了を示す図形情報、アイコン情報などを表示部１８に表示するようにしてもよい。また、音を用いて知らせる構成にしてもよい。これにより、ユーザは、アンテナとカード型機器とが接続され、当該カード型機器を使用できる状態になったことがわかるため、使い勝手がよくなる。
【００２１】
図２は、図１に示したカード種別検出部２５の処理フローの一例を説明するためのフロー図である。
まず、携帯電話機１０は、電源がオンされたときに、携帯電話として機能し、位置登録，待受け，発着呼，ユーザ操作など携帯電話固有の処理を行う（ステップＳ１）。カード型機器３０がカードスロット２１に挿着された場合、ＣＰＵ部１６がカード挿着割込み信号を検知したかどうか判断し（ステップＳ２）、カード挿着割り込み信号を検知した場合（ＹＥＳの場合）、カードスロット２１に挿着されたカード型機器３０の初期化処理を行う（ステップＳ３）。また、カード挿着割り込み信号を検知しない場合（ＮＯの場合）、上記ステップＳ１に戻り処理を行う。
【００２２】
上記ステップＳ３にて初期化処理の終了後、本例ではカードレジスタのデータを読み取り（ステップＳ４）、カード型機器３０の種別（すなわち、カード型機器３０の機能種別）や、他の固有情報などを取得する。
【００２３】
以下、カード型機器３０の機能モジュール種別を識別する処理について具体的に説明する。
例えば、カード型機器３０として、ＳＤＩＯ  ＧＰＳカードが挿着されたかどうか判断する（ステップＳ５）。この場合、レジスタＦＢＲ（Ｆｕｎｃｔｉｏｎ  Ｂａｓｉｃ  Ｒｅｇｉｓｔｅｒｓ）のＩ／Ｏ  ｄｅｖｉｃｅ  ｉｎｔｅｒｆａｃｅ  ｃｏｄｅを読み取り、０ｘ４が読み取れた場合、ＧＰＳ機能モジュールとして識別する。このように、ＧＰＳ機能モジュールとして識別された場合（ＹＥＳの場合）、ＧＰＳ機能モジュールに対応した機能モジュールドライバ処理、すなわち、ドライバソフトの起動やパラメータ設定などを行い（ステップＳ８）、アンテナ切替部２４のハードウェア制御、すなわち、ＧＰＳ用アンテナ２２と接続しているアンテナスイッチ２４ａをオンに、地上デジタルテレビ用アンテナ２３と接続しているアンテナスイッチ２４ｂをオフに制御し、その結果、ＧＰＳ用アンテナ２２とカード型機器３０のアンテナ端子はカードスロット２１を介して接続される（ステップＳ９）。
【００２４】
上記ステップＳ５において、ＧＰＳ機能モジュールとして識別されなかった場合（ＮＯの場合）、カード型機器３０として、地上デジタルテレビ機能モジュールが挿着されたかどうか判断する（ステップＳ６）。この場合、レジスタＦＢＲ（Ｆｕｎｃｔｉｏｎ  Ｂａｓｉｃ  Ｒｅｇｉｓｔｅｒｓ）のＩ／Ｏ  ｄｅｖｉｃｅ  ｉｎｔｅｒｆａｃｅ  ｃｏｄｅを読み取り、０ｘ７〜０ｘ０Ｆの中から、ユーザ定義の０ｘ７が読み取れた場合、地上デジタルテレビ機能モジュールとして識別する。このように、地上デジタルテレビ機能モジュールとして識別された場合（ＹＥＳの場合）、地上デジタルテレビ機能モジュールに対応した機能モジュールドライバ処理、すなわち、ドライバソフトの起動やパラメータ設定などを行い（ステップＳ１０）、アンテナ切替部２４のハードウェア制御、すなわち、ＧＰＳ用アンテナ２２と接続しているアンテナスイッチ２４ａをオフに、地上デジタルテレビ用アンテナ２３と接続しているアンテナスイッチ２４ｂをオンに制御し、その結果、地上デジタルテレビ用アンテナ２３とカード型機器３０のアンテナ端子はカードスロット２１を介して接続される（ステップＳ１１）。
【００２５】
ここで、カード型機器３０の一例であるＧＰＳ機能モジュールあるいは地上デジタルテレビ機能モジュールのアンテナ端子としては、例えば、前記ＳＤＩＯ  ＧＰＳカードの場合、端子３（ＶＳＳ１：グランド）を使用することができる。
【００２６】
上記ステップＳ６において、地上デジタルテレビ機能モジュールとして識別されなかった場合（ＮＯの場合）、カード型機器３０として、汎用メモリカードなどのメモリ機能モジュールが挿着されたかどうか判断する（ステップＳ７）。この場合、レジスタＦＢＲ（Ｆｕｎｃｔｉｏｎ  Ｂａｓｉｃ  Ｒｅｇｉｓｔｅｒｓ）のＩ／Ｏ  ｄｅｖｉｃｅ  ｉｎｔｅｒｆａｃｅ  ｃｏｄｅを読み取り、０ｘ０〜０ｘ０Ｆ以外が読み取れた場合、メモリ機能モジュールとして識別する。このように、メモリ機能モジュールとして識別された場合（ＹＥＳの場合）、メモリ機能モジュールに対応した機能モジュールドライバ処理、すなわち、ドライバソフトの起動やパラメータ設定などを行い（ステップＳ１２）、アンテナ切替部２４のハードウェア制御、すなわち、ＧＰＳ用アンテナ２２と接続しているアンテナスイッチ２４ａをオフに、地上デジタルテレビ用アンテナ２３と接続しているアンテナスイッチ２４ｂをオフに制御する（ステップＳ１３）。この場合、ＧＰＳ用アンテナ２２と地上デジタルテレビ用アンテナ２３は、両方オフ状態でカード型機器３０とは接続されないため、カードスロット２１に挿着されたメモリ機能モジュールへの影響はない。
【００２７】
（第２の実施形態）
図３は、本発明の第２の実施形態に係る情報端末装置を示すブロック図である。情報端末装置１０の第２の実施形態として、携帯電話機を代表例として説明する。尚、図１に示した第１の実施形態における携帯電話機１０と同様の機能を有する部分には同じ符号を付け、その繰り返しの説明は省略する。
【００２８】
図３に示す携帯電話機１０は、イヤホンマイク端子２６，イヤホンマイクジャック４０，外部アンテナ４１，イヤホンマイク４２を備えている。外部アンテナ４１は、地上デジタルテレビ用アンテナとして機能し、イヤホンマイクジャック４０及びイヤホンマイク端子２６を通じて、アンテナ切替部２４のアンテナスイッチ２４ｂと接続されている。一方、イヤホンマイク用信号の端子は、同様に、イヤホンマイクジャック４０及びイヤホンマイク端子２６を通じて、ＣＰＵ部１６に接続されている。
【００２９】
本実施形態では、カード型機器３０は、カードスロット２１，アンテナ切替部２４を通じて外部アンテナ４１と接続することができる。尚、外部アンテナ４１として、地上デジタルテレビ用アンテナを代表例として説明したが、これに限らず、ＦＭラジオ放送，ＡＭラジオ放送，地上デジタルラジオ放送など個別受信用アンテナまたは共用受信アンテナとして使用することができる。
【００３０】
ここで、第１の実施形態及び第２の実施形態では、携帯電話機を代表例として説明してきたが、本発明は、これに限定されるものではなく、例えば、ＰＤＡ，ノートパソコンなど他の携帯情報端末にも適用することができる。また、カード型機器３０として、地上デジタルテレビ機能モジュールやＧＰＳ機能モジュールを代表例として取り上げたが、例えば、無線ＬＡＮ，地上デジタルラジオ，ＦＭラジオ，ＡＭラジオ，Ｂｌｕｅｔｏｏｔｈなど他のカード機能モジュールとしてもよい。
【００３１】
さらに、カード型機器３０の対応アンテナとして、ＧＰＳ用アンテナ２２及びアンテナ切替部２４のアンテナスイッチ２４ａと、地上デジタルテレビ用アンテナ２３及びアンテナ切替部２４のアンテナスイッチ２４ｂの２系統を代表例として取り上げたが、２系統以上の複数アンテナもしくは１系統のアンテナ構成としてもよく、また、携帯電話アンテナ１１との共用としてもよい。また、各カード型機能モジュール対応のアンテナの共用、あるいは携帯情報端末と接続する外部アンテナとしてもよい。また、カード型機器３０として、ＳＤＩＯカードを代表例として取り上げたが、例えば、ＰＣＭＣＩＡ，ＣＦ，ＳＤ，ｍｉｎｉＳＤカード，または他のタイプのカード型機能モジュールを使用しても構わない。また、アンテナ切替部２４のアンテナスイッチ２４ａ，２４ｂとして、無線信号をオン／オフする機械スイッチ、トランジスタ、ダイオードなどを使用した電気スイッチ、無線信号の減衰量を制御する電子アテネッターなどを用いてもよい。また、カード種別検出部２５の処理例として、ソフトウェアによる処理フローを図２に示したが、カード型機器３０の端子電圧などハードウェア情報に基づき、ハードウェアでカード種別の識別処理を行ってもよい。
【００３２】
本発明によると、１又は複数の内蔵あるいは外部のアンテナを情報端末装置側に設け、このアンテナを選択的に切り替えて、対応するカード型機器に接続することができるため、従来のアンテナ一体型カード型機器に比べて、情報端末装置の外観を損なうことなく、携帯性，操作性などを改善することができる。
【図面の簡単な説明】
【００３３】
【図１】本発明の第１の実施形態に係る情報端末装置を示すブロック図である。
【図２】図１に示したカード種別検出部の処理フローの一例を説明するためのフロー図である。
【図３】本発明の第２の実施形態に係る情報端末装置を示すブロック図である。
【符号の説明】
【００３４】
１０…情報端末装置（携帯電話機）、１１…携帯電話用アンテナ、１２…送受共用器、１３…受信機、１４…送信機、１５…シンセサイザ、１６…ＣＰＵ部、１７…メモリ部、１８…表示部、１９…操作部、２０…送受話器、２１…カードスロット、２２…ＧＰＳ用アンテナ、２３…地上デジタルテレビ用アンテナ、２４…アンテナ切替部、２４ａ，２４ｂ…アンテナスイッチ、２５…カード種別検出部、２６…イヤホンマイク端子、３０…カード型機器、４０…イヤホンマイクジャック、４１…外部アンテナ、４２…イヤホンマイク。
【図１】
2005252386.tif 000003
【図２】
2005252386.tif 000004
【図３】
2005252386.tif 000005